(57)【要約】  本装置は、複数対の投光パルスが順次投光されてそれぞれ測定対象物からの反射光が受光され、各投光から受光までのパルス検出の遅延時間に基づいて測定対象物までの距離を測定する。投光パルス生成回路（６ａ、６ｂ）は、所定のパルス幅をそれぞれもつ投光パルスで、少なくとも２種類の相異なるパルス間隔を有する複数対の投光パルスを生成する。投光パルス切替回路（７）は、パルス間隔の異なる各対の投光パルスを周期的に切り替えて出力させる。投光回路（８）は、切り替えられた投光パルスを測定対象物に対して投光する。距離判定回路（１５）は、パルス間隔の異なる投光パルスごとに測定された複数の距離が相異なる場合、各測定距離の遠近を比較し、パルス検出のタイミングに応じて、複数の測定距離から遠いまたは近い測定距離のいずれか一方を除外した距離に基づいて検出距離を判定する。
2013094062.tif 000002
【特許請求の範囲】
【請求項１】
複数対の投光パルスが順次投光されて、それぞれ測定対象物からの反射光が受光され、各投光から受光までのパルス検出の遅延時間に基づいて測定対象物までの距離を測定する光波測距装置であって、
所定のパルス幅をそれぞれもつ投光パルスで、少なくとも２種類の相異なるパルス間隔を有する前記複数対の投光パルスを生成する投光パルス生成回路と、前記パルス間隔の異なる各対の投光パルスを周期的に切り替えて出力させる投光パルス切替回路と、前記切り替えられた投光パルスを測定対象物に対して投光する投光回路と、
前記パルス間隔の異なる投光パルスごとに測定された複数の距離が相異なる場合、各測定距離の遠近を比較し、前記パルス検出のタイミングに応じて、前記複数の測定距離から遠い測定距離または近い測定距離のいずれか一方を除外した距離に基づいて検出距離を判定する距離判定回路とを備えた、
光波測距装置。
【請求項２】
請求項１において、
前記パルス検出のタイミングが投光および受光のパルス立上りである場合に、前記距離判定回路は、前記複数の測定距離から各測定距離のうち近い測定距離を除外した距離に基づいて検出距離を判定する、光波測距装置。
【請求項３】
請求項１において、
各測定距離同士の差がいずれも所定値より小さい場合、前記距離判定回路は、すべての測定距離の平均値を検出距離と判定する、光波測距装置。
【発明の詳細な説明】
【技術分野】
【０００１】
本発明は、光の反射を利用して測定対象物までの距離を測定する光波測距装置に関する。
【背景技術】
【０００２】
一般に、光波測距装置は、投光パルスが投光されて測定対象物からの反射光が受光され、投光から受光までのパルス検出の遅延時間に基づいて測定対象物までの距離を測定するもので、光の移動時間を距離に変換する装置である。【０００３】
図４（Ａ）は従来の光波測距装置の基本構成、（Ｂ）はその測定波形を示す。図４（Ａ）のように、この光波測距装置は、投光部１の基準発振器５４からの所定の基準周波数に基づいて投光パルス生成回路５５で生成された所定のパルス幅をもつ投光パルス（投光信号）が投光回路５８から投光されて、測定対象物Ｍで反射され、その距離に応じた時間だけ遅れて受光部２の受光回路５９で受光される。この受光信号が受光信号増幅回路６０で必要な振幅まで増幅されて二値化回路６１で二値化され、位相検波回路６２へ入力される。【０００４】
位相検波回路６２では、図４（Ｂ）のように、（ａ）の投光波形と（ｂ）の受光波形との位相のずれ（（ｃ）の位相遅れ）が検知され、遅れ時間測定回路６３により測定された位相遅れを換算して測定対象物Ｍまでの距離が計算されて、検出距離が出力される。【０００５】
従来から、投光回路で生成される投光パルスとしては、設計上単一のパルスで発光させるものの他に、応答速度を速める等のために、複数の連続したパルスで発光させるものが知られている（例えば、特許文献１）。また、それぞれ連続パルスを発光する複数の機器が設置された状態で、他の機器との相互干渉防止のために、投光タイミングをずらして調整するのに複数のパルスを連続した塊で発光させるもの（例えば、特許文献２）なども知られている。
【先行技術文献】
【特許文献】
【０００６】
【特許文献１】特開２００６−０６４６４１号公報
【特許文献２】特開２００６−００３１２７号公報
【発明の概要】
【発明が解決しようとする課題】
【０００７】
ところで、図３（Ａ）のように、投光部１から投光した光が前方の測定対象物Ｍに反射して受光部２に入光する際に、一定のパルス間隔で複数の投光パルスを投光した場合、測定対象物Ｍからの反射光だけでなく、その後方にある別の物体Ｋからの反射光が入光し、かつその２つの反射光同士の遅れ時間差が当該パルス間隔に近いとき、測定結果に影響を及ぼす場合がある。図３（Ｂ）のように、ベルトコンベア上に乗った移動物体の有無を検出するために、移動する測定対象物Ｍの端面Ｍａを測定する場合にも、その端面Ｍａで、測定対象物Ｍおよび後方物体Ｋからの反射光により同様の現象が発生する。【０００８】
図５は、測定対象物Ｍの後方物体Ｋによる反射光がある場合の測定波形を示す図である。図５の（ａ）の１回目の投光出力Ｐ１１は、図５の（ｂ）のように前方対象物Ｍからの１回目の反射光Ｒ１１の波形を受光部２にもたらす。投光タイミングから受光タイミングの遅れ（位相遅れ）は、投光部１および受光部２と測定対象物Ｍとの距離に比例して長くなる。一方、１回目の投光出力Ｐ１１が後方物体Ｋに反射した光γは、図５の（ｃ）のようにさらに遅れて受光部２に入光する。反射光Ｒ１１、Ｒ１２と反射光γの合成波形を図５の（ｄ）に示す。１回目の前方対象物Ｍの反射光Ｒ１１では反射光γは影響しないので、前方対象物Ｍの距離を正確に測定することができ、図５の（ｆ）の遅れ時間パルスは前方対象物Ｍまでの距離に比例したパルス幅となる。図５の（ｇ）は、一例としてこのパルス幅に応じて測定した距離２２７０ｍｍを示す。【０００９】
しかし、図５の（ｄ）のように、２回目の前方対象物Ｍの反射光Ｒ１２では、後方物体Ｋの反射光γと合成されるので、受光波形の立ち上がりが本来の遅れ時間よりも早く立ち上がる。このため、図５の（ｆ）の遅れ時間パルスが立ち下がるのが早くなり、結果として図５の（ｇ）のように測定した距離が１５１０ｍｍと短くなる。ただし、この例では、図５の（ｅ）の二値化出力において後方物体Ｋからの反射光γが独立してパルスＱとして現れており、この二値化出力のパルス数は本来投光したパルス数２回よりも多い３回となっている。そのためこのパルス数をカウントし、２回を超えている場合は無効な測定距離を含むと判断できる。【００１０】
ところが、この後方物体Ｋの反射光の強さは、それぞれの測定対象物Ｍの位置やその表面の反射率などによって大きく変化し、図６の（ｃ）のように後方物体Ｋの反射光εが弱くなると、図５の（ｅ）のようなパルスＱを検出することができなくなる場合がある。その場合でも、図６の（ｄ）の波形は、後方物体Ｋからの反射光εを受光して早くから立ち上がりだすため、図６の（ｅ）の二値化出力波形の立ち上がりも早まり、結果として図６の（ｇ）のように少し短い測定距離となる。このような後方物体Ｋの反射光の変化状態は、図３（Ａ）の静止した対象物Ｍを測定する時よりも、図３（Ｂ）の移動する測定対象物Ｍを測定する時に問題となる。この時、図３（Ｃ）のように、測定対象物Ｍの端面Ｍａの測定距離Ｌ１が、端面Ｍａ以外の測定距離Ｌに比べてＬ１＜Ｌと、短くなる。【００１１】
これに対して、１回目の投光パルスと２回目の投光パルスの間隔を長くして、１回目の投光パルスでの後方物体Ｋからの反射光が、２回目の前方対象物Ｍからの反射光と重なり合わないようにすることが考えられる。しかし、そうすると時間当たりの投光回数が減るため、測定に要する時間が長くなる。また、反射光同士が重ならないように、反射光をフィルタリングすることも考えられるが、フィルタリングによって応答時間が遅れて、やはり測定時間が長くなる。【００１２】
その一方、１回目の投光パルスと２回目の投光パルスの間隔を短くすることも考えられる。図７の（ａ）のように、投光パルスＰ１１、Ｐ１２のパルス間隔Ｄｂは、図５の（ａ）のパルス間隔Ｄａよりも短くなっている（Ｄｂ＜Ｄａ）。この場合、図７の（ｃ）の後方物体Ｋからの反射光ξが、図７の（ｂ）の前方対象物Ｍからの反射光の２回目のパルスＲ１２と重なり合う部分が変わることで、波形の立ち上がるタイミングに影響が生じることなく、図７の（ｇ）のように測定した距離にも影響しなくなる。【００１３】
しかし、前方対象物Ｍと後方物体Ｋとの位置関係が変化したり、別の後方物体からの反射が発生したりなどするとその都度、後方物体からの反射の影響を受けないように、投光パルスのパルス間隔を変化させる必要があり、対応が煩雑で困難となる。【００１４】
本発明は、前記の問題点を解決して、測定対象物とその後方物体間の距離にかかわらず、簡単な構成で、測定時間を短縮しながら、測定対象物の後方物体の反射の影響による誤検出を防止することができる光波測距装置を提供することを目的としている。
【課題を解決するための手段】
【００１５】
前記目的を達成するために、本発明の一構成に係る光波測距装置は、複数対の投光パルスが順次投光されてそれぞれ測定対象物からの反射光が受光され、各投光から受光までのパルス検出の遅延時間に基づいて測定対象物までの距離を測定するものであって、所定のパルス幅をそれぞれもつ投光パルスで、少なくとも２種類の相異なるパルス間隔を有する前記複数対の投光パルスを生成する投光パルス生成回路と、前記パルス間隔の異なる各対の投光パルスを周期的に切り替えて出力させる投光パルス切替回路と、前記切り替えられた投光パルスを測定対象物に対して投光する投光回路と、前記パルス間隔の異なる投光パルスごとに測定された複数の距離が相異なる場合、各測定距離の遠近を比較し、前記パルス検出のタイミングに応じて、前記複数の測定距離から遠い測定距離または近い測定距離のいずれか一方を除外した距離に基づいて検出距離を判定する距離判定回路とを備えている。【００１６】
この構成によれば、パルス間隔の異なる各対の投光パルスを切り替えて投光して、パルス検出のタイミングに応じて遠いまたは近い測定距離のいずれか一方を除外した距離に基づいて検出距離の判定を行うので、測定対象物の後方物体の反射の影響を受けて各測定距離が相異なる場合に、その影響を受けた測定距離を除外し、その影響を受けない測定距離に基づいて検出距離を得ることができる。また、遠いまたは近い測定距離の一方を除外することで誤検出のない検出距離を得られるので、測定時間も短縮できる。これにより、測定対象物とその後方物体間の距離にかかわらず、簡単な構成で、測定対象物の後方物体の反射の影響による誤検出を防止し、測定時間を短縮することができる。【００１７】
好ましくは、前記パルス検出のタイミングが投光および受光のパルス立上りである場合に、前記距離判定回路は、前記複数の測定距離から各測定距離のうち近い測定距離を除外した距離に基づいて検出距離を判定する。したがって、回路上の遅延時間の少ないパルス立上りを検出することにより、より測定時間を短縮することができる。【００１８】
好ましくは、各測定距離同士の差がいずれも所定値よりも小さい場合、前記距離判定回路は、すべての測定距離の平均値を検出距離と判定する。したがって、後方物体の反射の影響を受けない測定の場合に、測定距離の除外処理を行う必要がなく測定時間をより短縮することができる。
【発明の効果】
【００１９】
本発明は、パルス間隔の異なる各対の投光パルスを切り替えて投光して、パルス検出のタイミングに応じて遠いまたは近い測定距離のいずれか一方を除外した距離に基づいて検出距離の判定を行うので、測定対象物の後方物体の反射の影響を受けて各測定距離が相異なる場合に、その影響を受けた測定距離を除外し、その影響を受けない測定距離に基づいて検出距離を得ることができる。また、遠いまたは近い測定距離の一方を除外することで誤検出のない検出距離を得られるので、測定時間も短縮できる。【００２０】
請求の範囲および／または明細書および／または図面に開示された少なくとも２つの構成のどのような組合せも、本発明に含まれる。特に請求の範囲の各請求項の２つ以上のどのような組合せも、本発明に含まれる。
【図面の簡単な説明】
【００２１】
本発明は、添付の図面を参考にした以下の好適な実施形態の説明から、より明瞭に理解されるであろう。しかしながら、実施形態および図面は単なる図示および説明のためのものであり、この発明の範囲を定めるために利用されるべきものではない。この発明の範囲は添付のクレーム（請求の範囲）によって定まる。添付図面において、複数の図面における同一の部品符号は同一部分を示す。
【図１】本発明の一実施形態に係る光波測距装置を示す構成図である。
【図２】図１の光波測距装置の動作を示す特性図である。
【図３】（Ａ）、（Ｂ）は光波測距装置における測定対象物の後方物体による反射光の状態の一例を示す平面図、（Ｃ）は（Ｂ）の反射光の影響の一例を示す構成図である。
【図４】（Ａ）は従来の光波測距装置の基本構成、（Ｂ）はその測定波形を示す図である。
【図５】従来における測定対象物の後方物体による反射光がある場合の測定波形を示す図である。
【図６】従来における測定対象物の後方物体による反射光がある場合の測定波形を示す図である。
【図７】従来における測定対象物の後方物体による反射光がある場合の測定波形を示す図である。
【発明を実施するための形態】
【００２２】
以下、本発明の実施形態を図面にしたがって説明する。図１は、本発明の一実施形態に係る光波測距装置を示す構成図である。図２は、光波測距装置の動作の一例を示す特性図である。図１のように、この光波測距装置は、測定対象物Ｍに向けて複数対の投光パルスを順次投光する投光部１、この投光パルスの測定対象物Ｍからの反射光を受光する受光部２、および投光から受光までのパルス検出の遅延時間に基づいて測定対象物Ｍまでの距離を測定する距離演算部３を備えている。
【００２３】
投光部１は、基準発振器４、投光パルス生成部５、投光パルス切替回路７および投光回路８を備えている。基準発振器４は所定の周波数の基準信号を発生する。投光パルス生成部５は、基準発振器４からの基準信号に基づいて所定のパルス幅を有する投光パルスを生成する。投光パルス生成部５は、例えば２種類の相異なるパルス間隔を有する２対の投光パルスを生成するもので、広いパルス間隔の投光パルスを生成する第１の投光パルス生成回路６ａと、狭いパルス間隔の投光パルスを生成する第２の投光パルス生成回路６ｂとを有している。第１の投光パルス生成回路６ａは、図２の（ａ）のように、所定のパルス幅をもつ投光パルスＰが２個で広いパルス間隔Ｄ１を有する一対の投光パルスＰ１を生成し、第２の投光パルス生成回路６ｂは、狭いパルス間隔Ｄ２（Ｄ１＞Ｄ２）を有する一対の投光パルスＰ２を生成する。
【００２４】
測定対象物Ｍへの投光パルスによりその後方物体Ｋから反射光が発生する場合、測定対象物Ｍと後方物体Ｋの反射光同士の遅れ時間差が一対の投光パルスのパルス間隔に近いとき、後方物体Ｋの反射の影響による誤検出を生じる。すなわち、後方物体Ｋの反射光による影響は、２つの投光パルスのパルス間隔と、後方物体Ｋから反射されて入光する時間、つまり測定対象物Ｍと後方物体Ｋ間の距離とに依存する。このため、投光パルスＰ１、Ｐ２のパルス間隔Ｄ１、Ｄ２は、測定対象物Ｍと後方物体Ｋ間の位置関係に対応して選択される。例えば、図２の（ｄ）において、広いパルス間隔の投光パルスＰ１に後方物体Ｋの反射光の影響が発生しているが、測定対象物Ｍと後方物体Ｋとの距離が近い場合には、広いパルス間隔の投光パルスＰ１に影響が発生せずに、狭いパルス間隔の投光パルスＰ２に後方物体Ｋの反射光の影響が発生する。したがって、測定対象物Ｍと後方物体Ｋ間の遠近があっても、いずれかのパルス間隔の投光パルスにより、後方物体Ｋの反射光の影響のない検出距離を得ることができる。
【００２５】
図１の投光回路８は、測定対象物Ｍに対して投光信号を投光するレーザーダイオードのような投光素子（図示せず）と、投光パルス生成回路６ａ、６ｂからの投光パルスにより投光素子を駆動する投光駆動回路（図示せず）とを有して、投光パルス切替回路７により切り替えられた投光パルスを測定対象物Ｍに対して投光する。
【００２６】
受光部２は、投光回路１から投光されて測定対象物Ｍにより反射された信号を受光するフォトダイオードのような受光素子を有する受光回路９と、受光された信号を増幅する受光信号増幅回路１０を有している。
【００２７】
投光パルス切替回路７は、パルス間隔の異なる各対の投光パルスを周期的に切り替えて、所定の順序に組み合わせた複数対の投光パルスを出力させる。この例では２種類の相異なるパルス間隔を有する２対の投光パルスＰ１、Ｐ２を、Ｐ１−Ｐ１−Ｐ２−Ｐ２の順序に組み合わせて投光させているが、順序および投光数はこれに限定されるものではなく、Ｐ１とＰ２を交互またはランダムに投光させても、Ｐ１とＰ２の投光数を３回以上等にさせてもよい。
【００２８】
距離演算部３は、二値化回路１１、位相検波回路１２、遅れ時間測定回路１３、メモリ１４、および距離判定回路１５を備えている。投光パルス切替回路７は、２種類の相異なるパルス間隔を有する２対の投光パルスＰ１、Ｐ２を切り替えて、投光回路８および位相検波回路１２に出力する。また、投光パルスＰ１、Ｐ２のいずれの出力に切り替えられたかを示す信号を距離判定回路１５に出力する。
【００２９】
距離演算部３の二値化回路１１は増幅された受光信号を二値化する。位相検波回路１２は、投光パルス切替回路７で切り替えられた投光パルス（投光信号）と、二値化回路１１からの二値化された受光信号との位相のずれを検知する。遅れ時間測定回路１３は、両信号の位相のずれ（位相遅れ）を換算して測定対象物Ｍまでの測定距離を計算する。メモリ１４は、例えば直前に複数測定された投光パルスＰ１、Ｐ２についての遅れ時間のような過去の遅れ時間を保存する。
【００３０】
前記距離判定回路１５は、パルス間隔の異なる投光パルスごとに測定された複数の距離が相異なる場合、各測定距離の遠近を比較し、パルス検出のタイミングに応じて、複数の測定距離から遠い測定距離または近い測定距離のいずれか一方を除外した距離に基づいて検出距離を判定する。図２の（ａ）の投光波形、図２の（ｂ）の受光波形において、例えばパルス検出のタイミングが投光パルスＰおよび受光パルスＲのパルス立上りである場合に、図１の距離判定回路１５は、各測定距離のうち近い測定距離を除外した距離に基づいて検出距離を判定する。パルス立上りの検出はパルス立下りの検出に比べて、回路上の遅延時間が少なく、より測定時間を短縮することができる。この例では、投光パルスＰ１、Ｐ２について測定された遅れ時間による測定距離と、メモリ１４に保存された過去の遅れ時間による測定距離とを比較して、所定値よりも短い測定距離を除外（無効化）して、それ以外の測定距離を平均化して検出距離を出力する。
【００３１】
以下、上記構成の光波測距装置の動作の一例を図２に基づいて説明する。この例では、相異なる投光間隔の２対の投光パルスＰ１、Ｐ２で距離を測定し、それぞれの測定結果の違いから後方物体Ｋの反射光の影響を受けて誤検出された測定距離を除外して、正確な検出距離を得ている。図２の（ａ）では、投光部１から、広いパルス間隔Ｄ１を有する一対の投光パルスＰ１が２回、その後に、狭いパルス間隔Ｄ２（Ｄ１＞Ｄ２）を有する一対の投光パルスＰ２が２回、順次投光されている。
【００３２】
ここでは図示の都合上、一対の投光パルス（ブロック）Ｐ１、Ｐ２を２回ずつ投光しているが、３回ずつ以上の多数の回数で投光することがより好ましく、測定した距離の平均化回数を増加させることにより、誤検出を防止して安定した検出距離を得ることができる。
【００３３】
図２の（ｂ）では、投光部１から発せられた図２の（ａ）の投光出力Ｐ１、Ｐ２が前方対象物Ｍに反射して、受光部２に反射光Ｒ１、Ｒ２の波形が入光する。一方、後方物体Ｋに反射した光は、図２の（ｃ）のようにさらに遅れて受光部２に入光する。この反射光α、βは受光部２で合成されるため、受光部２に現れる波形は図２の（ｄ）のようになる。１、２回目の広いパルス間隔の投光出力Ｐ１の時に、後方物体Ｋの反射光αが合成されてその影響を受けるのに対して、３、４回目の狭いパルス間隔の投光出力Ｐ２の時には反射光βの影響を受けていない。
【００３４】
図２の（ａ）の投光出力と図２の（ｅ）の受光波形の二値化出力との位相ずれから、図２の（ｆ）の遅れ時間が測定され、このパルス幅に応じて測定した距離が図２の（ｇ）に示され、この例では各対の投光パルスにより得られた測定距離が平均化されて図２の（ｈ）に示される。この平均化により、外乱光やノイズの影響を少なくすることができる。この結果、広いパルス間隔の投光出力Ｐ１の時の測定距離は、狭いパルス間隔の投光出力Ｐ２の時と比較して短くなっている。
【００３５】
これは、パルス検出のタイミングを投光出力と受光波形の立ち上がりで図２の（ｆ）の遅れ時間パルスを生成する場合、後方物体Ｋからの反射光が受光波形の立ち上がり側に重なることで検出距離が長くなる方に誤検出することは原理上発生しないことによる。そのため、広い投光パルス間隔と狭い投光パルス間隔とで測定した距離が異なる場合、そのうち短く測定された距離の方が誤検出された測定距離となる。そこで、図２の（ｈ）の４つの平均化された測定距離から、誤検出された短い測定距離のデータ２１２０ｍｍを除外し、残りの測定距離に基づき検出距離２２７０ｍｍを得ることができる。
【００３６】
こうして、投光および受光のパルス検出のタイミングをパルス立上りとし、２対の広いパルス間隔と狭いパルス間隔の投光パルスＰ１、Ｐ２を周期的に切り替え、それぞれでの測定距離に所定値以上の誤差が生じた時には短い測定距離を除外することで、後方物体Ｋからの反射光の合成による誤検出を防止して、正確な検出距離を得ることができる。
【００３７】
また、各測定距離同士の差がいずれも所定値より小さい場合、距離判定回路１５は、すべての測定距離を有効として、その平均値を検出距離と判定する。これは、後方物体Ｋの反射の影響を受けない場合でも、投光パルス同士のパルス間隔が長いときには、受光回路９のノイズが受光波形にのって、測定距離が実際よりも若干短くなることがあり、平均化によりこの誤差の影響を小さくするためである。これにより、後方物体Ｋの反射の影響を受けない測定の場合に、測定距離の除外処理を行う必要がないので測定時間をより短縮することができる。
【００３８】
なお、この実施形態では、パルス検出のタイミングを投光および受光のパルス立上りとしているが、パルス立下りとしてもよい。この場合、距離判定回路１５は、各測定距離のうち遠い測定距離を除外した距離に基づいて検出距離を判定する。
【００３９】
なお、この実施形態では、投光パルス生成部５は、２つの投光パルス生成回路６ａ，６ｂで、２種類の広いパルス間隔と狭いパルス間隔の２対の投光パルスＰ１、Ｐ２を生成しているが、３つ以上の投光パルス生成回路で、３種類以上のパルス間隔の複数対（３対以上）の投光パルスを生成してもよい。この場合、測定対象物Ｍと後方物体Ｋの位置関係の変化に対する対応性が高くなり、測定対象物の後方物体の反射の影響による誤検出をより防止することができる。
【００４０】
このように、本発明では、パルス間隔の異なる各対の投光パルスを切り替えて投光されて、パルス検出のタイミングに応じて遠い測定距離または近い測定距離のいずれか一方を除外した距離に基づいて検出距離の判定を行うので、測定対象物の後方物体の反射の影響を受けて各測定距離が相異なる場合に、その影響を受けた測定距離を除外し、その影響を受けない測定距離に基づいて検出距離を得ることができる。また、遠い測定距離または近い測定距離の一方を除外することで誤検出のない検出距離が得られるので、測定時間も短縮できる。これにより、測定対象物と後方物体間の距離にかかわらず、簡単な構成で、測定対象物の後方物体の反射の影響による誤検出を防止し、測定時間を短縮することができる。
【００４１】
以上のとおり図面を参照しながら好適な実施形態を説明したが、当業者であれば、本件明細書を見て、自明な範囲内で種々の変更および修正を容易に想定するであろう。したがって、そのような変更および修正は、添付の請求の範囲から定まる本発明の範囲内のものと解釈される。
【符号の説明】
【００４２】
１：投光部
２：受光部
３：距離演算部
５：投光パルス生成部
６ａ：第１投光パルス生成回路
６ｂ：第２投光パルス生成回路
７：投光パルス切替回路
８：投光回路
９：受光回路
１５：距離判定回路
Ｋ：後方物体
Ｍ：測定対象物
【図１】
2013094062.tif 000003
【図２】
2013094062.tif 000004
【図３】
2013094062.tif 000005
【図４】
2013094062.tif 000006
【図５】
2013094062.tif 000007
【図６】
2013094062.tif 000008
【図７】
2013094062.tif 000009
【国際調査報告】
2013094062.tif 000010
2013094062.tif 000011